(57)【特許請求の範囲】
【請求項１】
入力された制御音信号を制御音として出力する複数のスピーカーユニット及び該複数のスピーカーユニットを構成する各コーンの背後空間が取り囲まれるように前記複数のスピーカーユニットが取り付けられた包囲体で構成された制御用スピーカーと、該制御用スピーカーに接続され前記制御音信号を作成する制御手段とを備えた低周波音低減システムにおいて、
前記包囲体に第１のユニット設置ゾーン及び第２のユニット設置ゾーンをゾーン全体が互いに隣接するように設け、前記第１のユニット設置ゾーン及び前記第２のユニット設置ゾーンに前記複数のスピーカーユニットを振り分けて設置するとともに、該各スピーカーユニットを構成するコーン背後の各空間が前記第１のユニット設置ゾーン及び前記第２のユニット設置ゾーンでそれぞれ一体となりかつ各ゾーン間で相互に連通するように前記包囲体を構成し、前記複数のスピーカーユニットのうち、前記第１のユニット設置ゾーンに設置されたスピーカーユニットから出力される制御音と前記第２のユニット設置ゾーンに設置されたスピーカーユニットから出力される制御音とが互いに逆位相となるように前記制御手段を構成してなり、
逆位相の関係にある２つの対象音が逆方向に伝搬する音源を対象音源として該対象音源から出る前記２つの対象音の各伝搬側が、前記第１のユニット設置ゾーンと前記第２のユニット設置ゾーンにそれぞれ近接するように前記制御用スピーカーを前記対象音源に配置することにより、前記２つの対象音のうち、一方が前記第１のユニット設置ゾーンに配置されたスピーカーユニットからの制御音で、他方が前記第２のユニット設置ゾーンに配置されたスピーカーユニットからの制御音でそれぞれ消音されるようになっていることを特徴とする低周波音低減システム。
【請求項２】
前記第１のユニット設置ゾーンに振り分けられるスピーカーユニットと前記第２のユニット設置ゾーンに振り分けられるスピーカーユニットをそれぞれ複数個で構成した請求項１記載の低周波音低減システム。
【請求項３】
前記対象音源を振動ふるいとし、前記第１のユニット設置ゾーンが前記振動ふるいを構成するスクリーンの高さよりも上方位置となり、前記第２のユニット設置ゾーンが前記スクリーンの高さよりも下方位置となるように前記制御用スピーカーを前記振動ふるいの近接位置に立設した請求項１又は請求項２記載の低周波音低減システム。
【請求項４】
前記制御用スピーカーを前記振動ふるいを挟み込むように該振動ふるいの両側に配置した請求項３記載の低周波音低減システム。
【請求項５】
前記包囲体を単一の箱体で構成し、該箱体の側板に前記第１のユニット設置ゾーン及び前記第２のユニット設置ゾーンを設けた請求項３又は請求項４記載の低周波音低減システム。
【請求項６】
前記包囲体を第１の箱体、第２の箱体及びそれらの内部空間が連通されるように該第１の箱体の底板と該第２の箱体の頂板に各端がそれぞれ接続された連通管で構成し、前記第１のユニット設置ゾーンを前記第１の箱体の側板に設け、前記第２のユニット設置ゾーンを該側板と同じ側の前記第２の箱体の側板に設けた請求項３又は請求項４記載の低周波音低減システム。
【発明の詳細な説明】
【技術分野】
【０００１】
本発明は、低周波音発生源で発生する低周波音、特に振動ふるいの超低周波音を消音するために用いられる低周波音低減システムに関する。
【背景技術】
【０００２】
水平多軸回転式掘削機、泥水シールド機等の泥水循環式掘削機を用いて掘削を行う場合、掘削によって生じた排泥水は、土砂分離機によって掘削土砂が分離された後、所定の処理を経て再び泥水として再利用される。
【０００３】
土砂分離機は、ふるい（篩）として機能するスクリーンおよび盲板と呼ばれる鉄板を枠体に取り付け、該枠体をばねを介して架台に設置するとともに、枠体の上方に取り付けられた起振機で枠体を振動させることにより、該枠体に取り付けられたスクリーン上の土砂を粒径に応じて選別できるようになっている。
【０００４】
かかる土砂分離機は振動ふるいの一種であって、土砂選別以外にも、砕石、砂利、ガラスといったさまざまな粒体物の選別を用途とした振動ふるいが広く利用されているが、これらの振動ふるいを駆動すると、各部からさまざまな作動音が発生するほか、スクリーンが音波発生面となって１７Ｈｚ程度又は２０Ｈｚ程度の超低周波音が生じる。
【０００５】
これらのうち、作動音は騒音となって周囲に伝搬するとともに、超低周波音は、人間の耳で聞き取ることができる可聴範囲の下限付近であるため、直接的な騒音とはならないまでも、不快感を生じさせたり、障子、窓、とびら等の建具を振動させてがたつき音を発生させたりする。
【０００６】
そのため、振動ふるいである土砂分離機を市街地に設置して土砂分離作業を行う場合には、土砂分離機全体を防音ボックスで覆うようにし、装置各部からの作動音やスクリーンの振動で生じた超低周波音ができるだけ外部に漏洩しないよう、十分に対策を施す必要があるが、超低周波音に関しては、その周波数域での遮音性能や吸音性能の関係上、防音ボックスの外側で音圧レベルを十分に落とすことは難しい。
【０００７】
一方、騒音対策としてアクティブノイズコントロール（ＡＮＣ）が活用されており、これを超低周波音にも利用できないか、検討されるようになってきた（特許文献１）。
【先行技術文献】
【特許文献】
【０００８】
【特許文献１】特開２０１４−１５３６５３号公報
【発明の概要】
【発明が解決しようとする課題】
【０００９】
ＡＮＣにおいては、音圧低減の対象となる音源から出る対象音と位相が逆の音を制御音として別途発生させて消音を図るものであって、波の重ね合わせの原理を利用することから超低周波音の低減にも有効であると言われている。
【００１０】
ここで、制御音は、対象音の位相変化や振幅変化に瞬時に追従できるよう、スピーカーで出力させるのが望ましいが、スピーカーユニットだけでは、そのコーン背面から出る音波が前方に回り込んで正面から出た音波を打ち消すため、後方からの音波を遮断すべく、通常は、バッフル板やエンクロージャーに取り付けて使用される。
【００１１】
特に、周波数が低い場合、コーン背面から出る音波が回折して前方に回り込みやすいため、超低周波音の対策用途としては、スピーカーユニットを密閉型のエンクロージャーに取り付けて構成しなければならない。
【００１２】
しかしながら、密閉型のスピーカーでは、エンクロージャー内の空気がバネとして作用してコーンの振動を妨げるため、その影響を小さくするには、エンクロージャーの容積や奥行を大きくする必要があり、特に、振動ふるいのような音圧エネルギーが大きい超低周波音を大振幅で消音しようとすると、エンクロージャーの大容量化が不可欠となる。
【００１３】
そのため、超低周波音を消音可能なスピーカーの製作にはコストがかかるという問題や、現場においてはスピーカーの設置に大きなスペースが必要になるほか、搬送や設置作業にも時間や費用を要するという問題を生じていた。
【課題を解決するための手段】
【００１４】
本発明は、上述した事情を考慮してなされたもので、大型のスピーカーを用いずとも超低周波音を消音可能な低周波音低減システムを提供することを目的とする。
【００１５】
上記目的を達成するため、本発明に係る低周波音低減システムは請求項１に記載したように、入力された制御音信号を制御音として出力する複数のスピーカーユニット及び該複数のスピーカーユニットを構成する各コーンの背後空間が取り囲まれるように前記複数のスピーカーユニットが取り付けられた包囲体で構成された制御用スピーカーと、該制御用スピーカーに接続され前記制御音信号を作成する制御手段とを備えた低周波音低減システムにおいて、
前記包囲体に第１のユニット設置ゾーン及び第２のユニット設置ゾーンをゾーン全体が互いに隣接するように設け、前記第１のユニット設置ゾーン及び前記第２のユニット設置ゾーンに前記複数のスピーカーユニットを振り分けて設置するとともに、該各スピーカーユニットを構成するコーン背後の各空間が前記第１のユニット設置ゾーン及び前記第２のユニット設置ゾーンでそれぞれ一体となりかつ各ゾーン間で相互に連通するように前記包囲体を構成し、前記複数のスピーカーユニットのうち、前記第１のユニット設置ゾーンに設置されたスピーカーユニットから出力される制御音と前記第２のユニット設置ゾーンに設置されたスピーカーユニットから出力される制御音とが互いに逆位相となるように前記制御手段を構成してなり、
逆位相の関係にある２つの対象音が逆方向に伝搬する音源を対象音源として該対象音源から出る前記２つの対象音の各伝搬側が、前記第１のユニット設置ゾーンと前記第２のユニット設置ゾーンにそれぞれ近接するように前記制御用スピーカーを前記対象音源に配置することにより、前記２つの対象音のうち、一方が前記第１のユニット設置ゾーンに配置されたスピーカーユニットからの制御音で、他方が前記第２のユニット設置ゾーンに配置されたスピーカーユニットからの制御音でそれぞれ消音されるようになっているものである。
【００１６】
また、本発明に係る低周波音低減システムは、前記第１のユニット設置ゾーンに振り分けられるスピーカーユニットと前記第２のユニット設置ゾーンに振り分けられるスピーカーユニットをそれぞれ複数個で構成したものである。
【００１７】
また、本発明に係る低周波音低減システムは、前記対象音源を振動ふるいとし、前記第１のユニット設置ゾーンが前記振動ふるいを構成するスクリーンの高さよりも上方位置となり、前記第２のユニット設置ゾーンが前記スクリーンの高さよりも下方位置となるように前記制御用スピーカーを前記振動ふるいの近接位置に立設したものである。
【００１８】
また、本発明に係る低周波音低減システムは、前記制御用スピーカーを前記振動ふるいを挟み込むように該振動ふるいの両側に配置したものである。
【００１９】
また、本発明に係る低周波音低減システムは、前記包囲体を単一の箱体で構成し、該箱体の側板に前記第１のユニット設置ゾーン及び前記第２のユニット設置ゾーンを設けたものである。
【００２０】
また、本発明に係る低周波音低減システムは、前記包囲体を第１の箱体、第２の箱体及びそれらの内部空間が連通されるように該第１の箱体の底板と該第２の箱体の頂板に各端がそれぞれ接続された連通管で構成し、前記第１のユニット設置ゾーンを前記第１の箱体の側板に設け、前記第２のユニット設置ゾーンを該側板と同じ側の前記第２の箱体の側板に設けたものである。
【００２１】
本願発明に係る低周波音低減システムにおいては、複数のスピーカーユニットを包囲体に設置するにあたり、第１のユニット設置ゾーン及び第２のユニット設置ゾーンを、ゾーン全体が互いに隣接するように包囲体に設け、これらのユニット設置ゾーンに上述の複数のスピーカーユニットを振り分けて設置するとともに、各スピーカーユニットを構成するコーン背後の各空間が上述した各ユニット設置ゾーンでそれぞれ一体となりかつ各ゾーン間で相互に連通するように包囲体を構成した上、複数のスピーカーユニットのうち、各ユニット設置ゾーンに設置されたスピーカーユニットから出力される制御音が互いに逆位相となるように制御手段を構成する。
【００２２】
このようにすると、各ユニット設置ゾーンに取り付けられたスピーカーユニットから制御音が出力される際、第１のユニット設置ゾーンに取り付けられたスピーカーユニットと第２のユニット設置ゾーンに取り付けられたスピーカーユニットとは、それらのコーンが逆位相で振動し、一方のユニット設置ゾーンのコーンが背面側に変位しているときには、他方のユニット設置ゾーンのコーンが正面側に変位し、一方のユニット設置ゾーンのコーンが正面側に変位しているときには、他方のユニット設置ゾーンのコーンが背面側に変位する。
【００２３】
すなわち、一方のユニット設置ゾーンでコーンが背面側に変位して該コーン背面近傍の空気が押し込まれたときには、他方のユニット設置ゾーンでコーンが正面側に変位して該コーン背面近傍の空気が押し出されるため、コーンが振動しても、包囲体内の空気は全体としてはほとんど圧力上昇せず、よって包囲体内の空気がバネとしてコーンの背面に作用することもない。
【００２４】
したがって、従来のようにコーン背面に空気バネが作用してコーンの振動を阻害するといった事態は生じにくくなり、かくして包囲体の容積や奥行を大きくせずとも、スピーカーユニットから十分な振幅の低周波音を出力させることができる。
【００２５】
本発明に係る低周波音低減システムは、低周波音、すなわち１００Ｈｚ程度以下の音を発生する音源であって、板振動で代表されるように、逆位相の関係にある２つの対象音が逆方向に伝搬するものである限り、任意の音源を対象とすることが可能であるが、周波数域としては超低周波音、すなわち２０Ｈｚ程度以下の音が、音源としては振動ふるいが典型的な適用対象となる。以下、上述の音源を対象音源と呼ぶ。
【００２６】
本発明の低周波音低減システムを所定の対象音源に適用するにあたっては、該対象音源における２つの対象音の各伝搬側が、制御用スピーカーの包囲体に設けられた第１のユニット設置ゾーンと第２のユニット設置ゾーンにそれぞれ近接するように、該制御用スピーカーを対象音源に配置する。
【００２７】
このようにすると、２つの対象音は、一方が第１のユニット設置ゾーンに配置されたスピーカーユニットからの制御音で、他方が第２のユニット設置ゾーンに配置されたスピーカーユニットからの制御音でそれぞれ消音されるとともに、包囲体の内部空間では、上述したようにコーン背面に空気バネが作用しなくなるため、十分な振幅の制御音を制御用スピーカーから出力させて、対象音を確実に消音することが可能となる。
【００２８】
制御手段は、作成された制御音信号が制御音として制御用スピーカーから出力されたときに、該制御音が対象音源で生じた対象音を位相干渉によって消音できる限り、その構成は任意であって、アナログ電子回路による処理も可能であるが、ＤＳＰを用いた適応フィルタによるデジタル処理が典型例となる。
【００２９】
第１のユニット設置ゾーンに振り分けられるスピーカーユニットと第２のユニット設置ゾーンに振り分けられるスピーカーユニットはそれぞれ一つとしてもかまわないが、これに代えて、各ユニット設置ゾーンに振り分けられるスピーカーユニットをそれぞれ複数個で構成したならば、各スピーカーユニットのコーン径が小さくなることによって振幅（低周波音の出力）が小さくなるのをスピーカーユニットの数、言い換えれば放射面積で補うことができるため、スピーカーユニットの製作費用を全体として低く抑えることができる。
【００３０】
振動ふるいに適用する場合の具体的構成としては、第１のユニット設置ゾーンが、振動ふるいを構成するスクリーンの高さよりも上方位置となり、第２のユニット設置ゾーンがスクリーンの高さよりも下方位置となるように、制御用スピーカーを振動ふるいの近接位置に立設する構成とすればよい。
【００３１】
ここで、制御用スピーカーは、振動ふるいの側方に一つだけ配置するようにしてもかまわないが、振動ふるいを挟み込むように該振動ふるいの両側に配置した構成とすれば、消音効果を十分に高めることが可能となる。
【００３２】
包囲体は、各スピーカーユニットを構成するコーン背後の各空間が第１のユニット設置ゾーン及び第２のユニット設置ゾーンでそれぞれ一体となり、かつ各ゾーン間で相互に連通するように構成される限り、どのように構成するかは任意であり、例えば、包囲体を単一の箱体で構成し、該箱体の一方の側板に第１のユニット設置ゾーン及び第２のユニット設置ゾーンを設けた構成とすることができる。
【００３３】
かかる構成は、包囲体がシンプルな構造となるため、コーン背後の各空間を第１のユニット設置ゾーン及び第２のユニット設置ゾーンでそれぞれ一体とさせやすく、かつ各ゾーン間で相互に連通させやすい。なお、単一の箱体は、必ずしも一体構成であることに限定されるものではなく、複数のパーツを組み立てることで単一の箱体を構成する形でもかまわない。
【００３４】
一方、包囲体を、第１の箱体、第２の箱体及びそれらの内部空間が連通されるように該第１の箱体の底板と該第２の箱体の頂板に各端がそれぞれ接続された連通管で構成するとともに、第１のユニット設置ゾーンを第１の箱体の側板に、第２のユニット設置ゾーンを該側板と同じ側の第２の箱体の側板にそれぞれ設けた構成とすることも可能である。
【００３５】
かかる構成においては、連通管をさまざまなサイズで予め準備しておくことにより、振動ふるいの仕様の違いに柔軟に対応することが可能となる。
【図面の簡単な説明】
【００３６】
【図１】本実施形態に係る低周波音低減システム１の概略図。
【図２】制御用スピーカー２の図であり、(a)は全体斜視図、(b)は鉛直断面図。
【図３】低周波音低減システム１の作用を示した説明図。
【図４】変形例に係る低周波音低減システムの図であり、(a)は概略図、(b)は平面配置図。
【図５】別の変形例に係る低周波音低減システムの概略図。
【発明を実施するための形態】
【００３７】
以下、本発明に係る低周波音低減システムの実施の形態について、添付図面を参照して説明する。
【００３８】
図１は、本実施形態に係る低周波音低減システムを示した概略図である。同図に示すように、本実施形態に係る低周波音低減システム１は、振動ふるいとしての土砂分離機５を対象音源、該土砂分離機を構成するスクリーン６の振動によって発生する超低周波音を対象音として本発明を適用した例であって、制御用スピーカー２と、該制御用スピーカーに接続された制御部３と、該制御部に接続されたエラーマイクロフォン４とを備える。
【００３９】
エラーマイクロフォン４は、土砂分離機５から離隔した所定の位置に設置してあり、該位置における音圧を計測できるようになっている。
【００４０】
制御部３は、土砂分離機５で発生した超低周波音が制御用スピーカー２から出力された制御音で消音されるように、エラーマイクロフォン４で得られた音圧データを誤差信号としたフィードバック制御によって制御音信号を作成するようになっており、該制御部は、エラーマイクロフォン４とともに本発明の制御手段を構成する。
【００４１】
制御部３は、ＤＳＰに適応フィルタを設けて構成することができるが、使用されるアルゴリズム等については公知の技術を適宜採用することが可能であり、ここでは説明を省略する。
【００４２】
制御用スピーカー２は、複数のスピーカーユニットとしてのスピーカーユニット７ａ及びスピーカーユニット７ｂと、それらが取り付けられた包囲体としてのエンクロージャー８とで構成してあり、該エンクロージャーは図２に示すように、スピーカーユニット７ａ，７ｂを構成する各コーン２１の背後空間を取り囲むことで、該コーン背面からの音波が外部に漏洩しないように構成してある。
【００４３】
エンクロージャー８は、矩形底板８ａ、その各周縁から立設された４つの側板８ｂ，８ｃ，８ｄ，８ｅ及びそれらの上縁に接合された矩形頂板８ｆからなる単一の箱体で構成してあるとともに、該側板のうち、側板８ｂには、第１のユニット設置ゾーン９ａ及び第２のユニット設置ゾーン９ｂを、ゾーン全体が互いに隣接するように設けてあり、上述したスピーカーユニット７ａ，７ｂは、これらのユニット設置ゾーン９ａ，９ｂに振り分けて、すなわち、計８個のスピーカーユニット７ａを第１のユニット設置ゾーン９ａに、同じく計８個のスピーカーユニット７ｂを第２のユニット設置ゾーン９ｂにそれぞれ設置してある。
【００４４】
ここで、エンクロージャー８は、上述したように単一の箱体で構成したことにより、スピーカーユニット７ａを構成するコーン２１背後の空間が第１のユニット設置ゾーン９ａの範囲にわたって一体となるとともに、スピーカーユニット７ｂを構成するコーン２１背後の空間が第２のユニット設置ゾーン９ｂの範囲にわたって一体となっており、さらに、これらのコーン背後空間が、第１のユニット設置ゾーン９ａと第２のユニット設置ゾーン９ｂとの間で相互に連通するようになっている。
【００４５】
一方、制御部３は、第１のユニット設置ゾーン９ａに設置されたスピーカーユニット７ａから出力される制御音と第２のユニット設置ゾーン９ｂに設置されたスピーカーユニット７ｂから出力される制御音とが互いに逆位相となるように構成してある。
【００４６】
本実施形態に係る低周波音低減システム１を用いて土砂分離機５で発生する超低周波音を消音するには、まず、制御用スピーカー２を、第１のユニット設置ゾーン９ａが振動ふるい５を構成するスクリーン６の高さよりも上方位置となり、第２のユニット設置ゾーン９ｂがスクリーン６の高さよりも下方位置となるように、振動ふるい５の近接位置に立設することにより、土砂分離機５における２つの対象音の各伝搬側、すなわち、スクリーン６の直上側を第１のユニット設置ゾーン９ａに、スクリーン６の直下側を第２のユニット設置ゾーン９ｂにそれぞれ近接させる（図２(b)参照）。
【００４７】
次に、土砂分離機５を稼働しつつ、制御部３で作成された制御音信号を制御用スピーカー２から出力する。
【００４８】
制御音信号を制御部３で作成するにあたっては、エラーマイクロフォン４で得られた音圧データを誤差信号としてフィードバック制御を行いつつ、土砂分離機５のスクリーン６で発生した超低周波音である対象音とは逆位相の制御音を制御用スピーカー２から出力するが、本実施形態では特に、土砂分離機５のスクリーン６で発生し上下方向に伝搬する２つの対象音のうち、上方に伝搬する対象音とは逆位相の制御音が第１のユニット設置ゾーン９ａに取り付けられたスピーカーユニット７ａから出力され、下方に伝搬する対象音とは逆位相の制御音が第２のユニット設置ゾーン９ｂに取り付けられたスピーカーユニット７ｂから出力されるようにする。
【００４９】
このようにすると、スクリーン６の上下方向に伝搬する２つの対象音は、上方に伝搬する対象音が第１のユニット設置ゾーン９ａに配置されたスピーカーユニット７ａからの制御音で、下方に伝搬する対象音が第２のユニット設置ゾーン９ｂに配置されたスピーカーユニット７ｂからの制御音でそれぞれ消音される。
【００５０】
加えて、本実施形態に係る低周波音低減システム１においては、各ユニット設置ゾーン９ａ，９ｂに取り付けられたスピーカーユニット７ａ，７ｂから制御音がそれぞれ出力される際、第１のユニット設置ゾーン９ａに取り付けられたスピーカーユニット７ａと第２のユニット設置ゾーン９ｂに取り付けられたスピーカーユニット７ｂとは、それらのコーン２１が逆位相で振動し、スピーカーユニット７ａのコーン２１が背面側に変位しているときには図３(a)に示すように、スピーカーユニット７ｂのコーン２１が正面側に変位し、スピーカーユニット７ａのコーン２１が正面側に変位しているときには同図(b)に示すように、スピーカーユニット７ｂのコーン２１が背面側に変位する。
【００５１】
なお、上述したように、スクリーン６の上方に伝搬する対象音とは逆位相の制御音がスピーカーユニット７ａから、下方に伝搬する対象音とは逆位相の制御音がスピーカーユニット７ｂから出力されるため、上述したコーン２１の変位は、スクリーン６の変位と連動し、スピーカーユニット７ａのコーン２１が背面側に、スピーカーユニット７ｂのコーン２１が正面側にそれぞれ変位するときには、スクリーン６は上方に変位し（同図(a)）、スピーカーユニット７ａのコーン２１が正面側に、スピーカーユニット７ｂのコーン２１が背面側にそれぞれ変位するときには、スクリーン６は下方に変位する（同図(b)）。
【００５２】
このように、スピーカーユニット７ａとスピーカーユニット７ｂとは、それらのコーン２１が逆位相で振動するため、スピーカーユニット７ａのコーン２１が背面側に変位して該コーン背面近傍の空気が押し込まれたときには、スピーカーユニット７ｂのコーン２１が正面側に変位して該コーン背面近傍の空気が押し出される（逆の場合も同様）。
【００５３】
したがって、コーン２１が振動しても、エンクロージャー８内の空気は全体としてはほとんど圧力上昇せず、よってエンクロージャー８内の空気がバネとしてコーン２１の背面に作用することもない。
【００５４】
以上説明したように、本実施形態に係る低周波音低減システム１によれば、従来のようにコーン背面に空気バネが作用してコーンの振動を阻害するといった事態は生じにくくなり、かくしてエンクロージャー８の容積や奥行を大きくせずとも、スピーカーユニット７ａ，７ｂから十分な振幅の低周波音を出力させることができるとともに、現場では、わずかな設置スペースで土砂分離機５の超低周波音対策を講じることが可能となり、搬送や設置作業における作業性も向上する。
【００５５】
また、本実施形態に係る低周波音低減システム１によれば、各ユニット設置ゾーン９ａ，９ｂに振り分けられるスピーカーユニット７ａ，７ｂをそれぞれ複数個、本実施形態では８個ずつで構成したので、各スピーカーユニット７ａ，７ｂのコーン径が小さくなることによる振幅減少をスピーカーユニット７ａ，７ｂの数、すなわち放射面積で補うことができるため、スピーカーユニットの全体製作費用を低く抑えることができる。
【００５６】
また、本実施形態に係る低周波音低減システム１によれば、エンクロージャー８を単一の箱体で構成したので、各コーン２１背後の空間を第１のユニット設置ゾーン９ａ及び第２のユニット設置ゾーン９ｂの範囲にわたってそれぞれ一体化させやすく、かつ各ユニット設置ゾーン９ａ，９ｂ間で相互に連通させやすくなる。
【００５７】
本実施形態では特に言及しなかったが、土砂分離機５の近傍に配置される限り、制御用スピーカー２をどの場所に設置するかは任意であり、本実施形態のようにスクリーン６の搬送上流側に代えて、搬送下流側でもよいし、側方でもかまわない。
【００５８】
また、本実施形態では、土砂分離機５の一方の側、すなわちスクリーン６の搬送上流側にのみ制御用スピーカー２を配置した構成としたが、これに代えて、土砂分離機５を挟み込むようにその各側方に、例えば図４に示すように、各ユニット設置ゾーン９ａ，９ｂがスクリーン６の搬送方向（同図白抜きの矢印）と平行になるように制御用スピーカー２をそれぞれ土砂分離機５に近接配置してもかまわない。エラーマイクロフォン４は、制御用スピーカー２，２の対称軸線上、例えば同図(b)の平面配置図に示すように、スクリーン６の搬送方向の延長線上に設置しておくのが望ましい。
【００５９】
かかる構成によれば、土砂分離機５で発生する超低周波音をより確実に消音することができるほか、土砂分離機５が制御用スピーカー２，２で挟み込まれることで、土砂分離機５の作動音が周囲に伝搬しにくくなり、エラーマイクロフォン４を用いたフィードバック制御が阻害されるおそれも少なくなる。
【００６０】
なお、上述した制御用スピーカー２の対向配置を直交二方向で行うようにすれば、土砂分離機５が４つの制御用スピーカー２で取り囲まれることになり、上述した作用効果はさらに向上する。
【００６１】
また、本実施形態では、制御用スピーカー２を鉛直に立設するようにしたが、スクリーン６の搬送上流側や搬送下流側に設置する場合には、鉛直姿勢に代えて、スクリーン６の配置平面と直交するように傾斜姿勢で配置するようにしてもよい。
【００６２】
かかる構成によれば、スクリーン６の上下に伝搬する対象音を均等に消音することが可能となる。
【００６３】
また、本実施形態では、各ユニット設置ゾーン９ａ，９ｂに振り分けられるスピーカーユニット７ａ，７ｂをそれぞれ複数個で構成したが、これに代えて、各ユニット設置ゾーン９ａ，９ｂに単体のスピーカーユニットをそれぞれ振り分けるようにしてもかまわない。
【００６４】
また、本実施形態では、土砂分離機５で発生する対象音がフィードバック制御で消音されるように制御部３を構成したが、これに代えて、レファレンスマイクロフォン（図示せず）を土砂分離機５の近傍に設置した上、該レファレンスマイクロフォンとエラーマイクロフォン４とを用いたフィードフォワード制御で上述の対象音が消音されるように制御部３を構成してもかまわない。
【００６５】
また、本実施形態では、エンクロージャー８を単一の箱体で構成したが、これに代えて、図５に示すように、第１の箱体５１、第２の箱体５２及びそれらの内部空間が連通されるように該第１の箱体の底板と該第２の箱体の頂板に各端がそれぞれ接続された連通管５３で構成されてなるエンクロージャー５４を採用し、第１のユニット設置ゾーン９ａを第１の箱体５１の側板に、第２のユニット設置ゾーン９ｂを該側板と同じ側の第２の箱体５２の側板にそれぞれ設けた構成とすることができる。
【００６６】
かかる構成によっても、上述した実施形態と同様の作用効果を奏するほか、連通管５３をさまざまなサイズで予め準備しておくことにより、振動ふるい５の仕様の違いに柔軟に対応することが可能となる。
【００６７】
また、本実施形態では、振動ふるいが土砂分離機５である場合を例としたが、土砂選別以外を用途とする振動ふるいにも本発明を適用できることは言うまでもない。
【符号の説明】
【００６８】
１          低周波音低減システム
２          制御用スピーカー
３          制御部（制御手段）
４          エラーマイクロフォン（制御手段）
５          土砂分離機（振動ふるい、対象音源）
６          スクリーン
８          エンクロージャー（包囲体、単一の箱体）
７ａ，７ｂ  スピーカーユニット
９ａ        第１のユニット設置ゾーン
９ｂ        第２のユニット設置ゾーン
２１          コーン
５１          第１の箱体
５２          第２の箱体
５３          連通管
５４          エンクロージャー（包囲体）
【図１】
0006675581.tif 000002
【図２】
0006675581.tif 000003
【図３】
0006675581.tif 000004
【図４】
0006675581.tif 000005
【図５】
0006675581.tif 000006